(57)【要約】【課題】画像情報処理システムにおいて、操作に用いる操作画像を高速に表示させる。【解決手段】表示装置と、表示装置に着脱自在な制御手段とを具備し、前記表示装置は、複数の走査線と、複数のデータ線と、これらの走査線とデータ線とが交差する位置にそれぞれ対応して設けられた複数の画素と、走査線の一部を駆動する複数の走査線駆動手段と、データ線の一部を駆動する複数のデータ線駆動手段とを有する表示装置に、コンテンツデータを記憶するコンテンツデータ記憶手段と、操作画像データと走査線駆動手段およびデータ線駆動手段の各識別子の組とを対応付けて記憶する操作画像データ記憶手段と、コンテンツデータまたは操作画像データ及び当該操作画像データに対応する識別子の組を表示装置に供給する供給手段と、供給手段によって供給されるデータに応じて走査線駆動手段およびデータ線駆動手段を駆動して複数の画素に画像を表示させる制御手段を接続する。【選択図】図１
2010002741.tif 000002
【特許請求の範囲】
【請求項１】
表示装置と、
前記表示装置に着脱自在な制御装置とを具備し、
前記表示装置は、
複数の走査線と、
複数のデータ線と、
前記複数の走査線と前記複数のデータ線とが交差する位置にそれぞれ対応して設けられた複数の画素と、
前記複数の走査線を構成する複数の走査線群の各々に対応して設けられ、対応する各走査線群に含まれる複数の走査線のそれぞれを駆動する複数の走査線駆動手段と、
前記複数のデータ線を構成する複数のデータ線群の各々に対応して設けられ、対応する各データ線群に含まれる複数のデータ線のそれぞれを駆動する複数のデータ線駆動手段とを備え、
前記制御装置は、
コンテンツの内容を表すコンテンツデータを記憶するコンテンツデータ記憶手段と、
操作に用いる画像を表す操作画像データと、各々の前記走査線駆動手段に割り当てられた識別子および各々の前記データ線駆動手段に割り当てられた識別子の組とを対応付けて記憶する操作画像データ記憶手段と、
前記コンテンツデータ記憶手段に記憶された前記コンテンツデータと、前記操作画像データ記憶手段に記憶された前記操作画像データ及び当該操作画像データに対応する前記識別子の組とを、前記表示装置に供給する供給手段とを備え、
前記供給手段から供給されるコンテンツデータによって表される内容のコンテンツを表示する場合には、各々の前記走査線駆動手段が各走査線を駆動するのに合わせて、各々の前記データ線駆動手段が前記コンテンツデータに従って各データ線を駆動し、
前記供給手段から供給される操作画像データによって表される画像を表示する場合には、当該操作画像データに対応する前記組に含まれる識別子が割り当てられた前記走査線駆動手段が、前記走査線を駆動するのに合わせて、当該組に含まれる識別子が割り当てられた前記データ線駆動手段が前記操作画像データに従って前記データ線を駆動する
ことを特徴とする画像情報処理システム。
【請求項２】
前記供給手段から供給される操作画像データによって表される画像を表示する場合には、当該操作画像データに対応する前記組に含まれる識別子が割り当てられた前記走査線群駆動手段は、自手段に対応する走査線群のうち一部の走査線のみを駆動し、前記組に含まれる識別子が割り当てられた前記データ線群駆動手段は、自手段に対応するデータ線群のうち一部のデータ線のみを前記操作画像データに従って駆動する
ことを特徴とする請求項１に記載の画像情報処理システム。
【請求項３】
前記供給手段は、
前記コンテンツデータ記憶手段に記憶された前記コンテンツデータに対しては所定の処理を施して前記表示装置に供給し、前記操作画像データ記憶手段に記憶された前記操作画像データに対しては前記所定の処理を施すことなく前記表示装置に供給する
ことを特徴とする請求項１または２に記載の画像情報処理システム。
【請求項４】
前記表示装置は、
該表示装置に割り当てられた識別情報および該表示装置に表示された画像に割り当てられた識別情報のうち少なくともいずれか一方を記憶する識別情報記憶手段と、
前記識別情報記憶手段が記憶する識別情報を前記制御装置へ送信する識別情報送信手段とを備え、
前記制御装置の前記操作画像データ記憶手段は、前記識別情報に対応付けて、前記操作画像データ及び前記識別子の組を記憶し、
前記制御装置の前記供給手段は、前記識別情報送信手段によって送信された識別情報に対応する前記操作画像データ及び前記識別子の組を前記操作画像データ記憶手段から読み出して前記表示装置に供給する
ことを特徴とする請求項１から３のいずれかに記載の画像情報処理システム。
【請求項５】
前記表示装置は、
ユーザの操作を受け付けて該操作に応じた操作信号を出力する操作手段を備え、
前記制御装置は、
前記操作手段が出力する操作信号を受け取って、該操作信号によって指示される操作画像データを特定する操作画像データ特定手段と、
前記操作画像データ毎に、該操作画像データが前記操作画像データ特定手段により特定された回数を記憶する回数記憶手段とを備え、
前記制御装置の前記操作画像データ記憶手段は、前記回数記憶手段に記憶されている回数に応じて、前記操作画像データと前記識別子の組との対応関係を書き換える
ことを特徴とする請求項１から４のいずれかに記載の画像情報処理システム。
【請求項６】
前記表示装置は、
前記供給手段から供給される操作画像データと識別子の組とを対応付けて記憶する記憶手段を備え、
前記制御装置は、
閾値を記憶する閾値記憶手段と、
所定の条件を満たすか否かを判断する判断手段と、
前記判断手段が前記所定の条件を満たすと判断した時点から経過した時間を計測する計測手段とを備え、
前記制御装置の前記供給手段は、前記計測手段により計測された時間と前記閾値記憶手段に記憶された閾値とを比較した比較結果に応じて予め定められた前記識別子の組を前記表示装置に供給し、
前記供給手段から供給される識別子の組に対応する操作画像データによって表される画像を表示する場合には、前記供給手段から供給される組に含まれる識別子が割り当てられた前記走査線駆動手段が、前記各走査線を駆動するのに合わせて、当該組に含まれる識別子が割り当てられた前記データ線駆動手段が、当該組に対応する操作画像データを前記記憶手段から読み出し、読み出した該操作画像データに従って前記データ線を駆動する
ことを特徴とする請求項１から５のいずれかに記載の画像情報処理システム。
【請求項７】
前記制御装置は、
閾値を記憶する閾値記憶手段と、
所定の条件を満たすか否かを判断する判断手段と、
前記判断手段が前記所定の条件を満たすと判断した時点から経過した時間を計測する計測手段とを備え、
前記制御装置の前記供給手段は、前記計測手段により計測された時間と前記閾値記憶手段に記憶された閾値とを比較した比較結果に応じて予め定められた前記識別子の組を前記表示装置に供給し、
前記供給手段から供給される識別子の組に対応する操作画像データによって表される画像を消去する場合には、前記供給手段から供給される組に含まれる識別子が割り当てられた前記走査線駆動手段が、前記各走査線を駆動するのに合わせて、当該組に含まれる識別子が割り当てられた前記データ線駆動手段が、前記データ線を駆動する
ことを特徴とする請求項１から５のいずれかに記載の画像情報処理システム。
【請求項８】
前記制御装置は、画像を表示する画像表示手段を備え、
前記制御装置の前記操作画像データ記憶手段は、操作に用いる画像を表す操作画像データと、各々の前記走査線駆動手段に割り当てられた識別子および各々の前記データ線駆動手段に割り当てられた識別子の組または前記画像表示手段を指定する指定情報とを対応付けて記憶し、
前記制御装置の前記画像表示手段は、前記指定情報に対応する操作画像データを前記操作画像データ記憶手段から読み出して表示する
ことを特徴とする請求項１に記載の画像情報処理システム。
【請求項９】
前記表示装置および前記制御装置の少なくともいずれか一方は、
ユーザの操作を受け付け、該操作に応じた操作信号を出力する操作手段を備え、
前記制御装置は、
前記操作手段が出力する操作信号によって指示される操作画像データを特定する操作画像データ特定手段と、
前記操作画像データ毎に、該操作画像データが特定された回数を記憶する回数記憶手段とを備え、
前記制御装置の前記操作画像データ記憶手段は、前記回数記憶手段に記憶されている回数に応じて、前記操作画像データと前記識別子の組との対応関係を書き換える
ことを特徴とする請求項８に記載の画像情報処理システム。
【請求項１０】
前記制御装置は、重ねられた複数の前記表示装置に着脱自在であり、
前記複数の表示装置のうち少なくとも一部の表示装置を他の表示装置と識別する識別手段を備え、
前記供給手段は、前記識別手段が識別した表示装置と他の表示装置とにそれぞれ異なるデータを供給する
ことを特徴とする請求項１から９のいずれかに記載の画像情報処理システム。
【発明の詳細な説明】
【技術分野】
【０００１】
本発明は、画像情報処理システムにおけるユーザ・インタフェースの技術に関する。
【背景技術】
【０００２】
画像情報を処理する装置には、記憶性の表示媒体に画像を表示させるものがある。ここで記憶性の表示媒体とは、電力供給が遮断されても表示内容を維持する媒体である。このような表示媒体のうち、特に薄いものは、電子ペーパーと呼ばれることがある。記憶性の表示媒体としては、液晶方式や電子粉流体方式、マイクロカプセル方式などがあるが、一般的に書き換え速度が遅いため、書き換え速度を向上させる技術が種々開発されている。例えば、特許文献１には、現在表示されている画像と変更後の画像とに基づいて、ディスプレイの少なくとも一部の画像が更新される更新領域を決定し、この決定された領域についてのみディスプレイを書き換えることで、書き換え速度を向上させる技術が記載されている。
【特許文献１】特開２００７−１０９７０号公報
【発明の開示】
【発明が解決しようとする課題】
【０００３】
本発明の課題は、画像情報処理システムにおいて、操作に用いる操作画像を高速に表示させることである。
【課題を解決するための手段】
【０００４】
上述した課題を解決するため、本発明に係る画像情報処理システムは、表示装置と、前記表示装置に着脱自在な制御装置とを具備し、前記表示装置は、複数の走査線と、複数のデータ線と、前記複数の走査線と前記複数のデータ線とが交差する位置にそれぞれ対応して設けられた複数の画素と、前記複数の走査線を構成する複数の走査線群の各々に対応して設けられ、対応する各走査線群に含まれる複数の走査線のそれぞれを駆動する複数の走査線駆動手段と、前記複数のデータ線を構成する複数のデータ線群の各々に対応して設けられ、対応する各データ線群に含まれる複数のデータ線のそれぞれを駆動する複数のデータ線駆動手段とを備え、前記制御装置は、コンテンツの内容を表すコンテンツデータを記憶するコンテンツデータ記憶手段と、操作に用いる画像を表す操作画像データと、各々の前記走査線駆動手段に割り当てられた識別子および各々の前記データ線駆動手段に割り当てられた識別子の組とを対応付けて記憶する操作画像データ記憶手段と、前記コンテンツデータ記憶手段に記憶された前記コンテンツデータと、前記操作画像データ記憶手段に記憶された前記操作画像データ及び当該操作画像データに対応する前記識別子の組とを、前記表示装置に供給する供給手段とを備え、前記供給手段から供給されるコンテンツデータによって表される内容のコンテンツを表示する場合には、各々の前記走査線駆動手段が各走査線を駆動するのに合わせて、各々の前記データ線駆動手段が前記コンテンツデータに従って各データ線を駆動し、前記供給手段から供給される操作画像データによって表される画像を表示する場合には、当該操作画像データに対応する前記組に含まれる識別子が割り当てられた前記走査線駆動手段が、前記走査線を駆動するのに合わせて、当該組に含まれる識別子が割り当てられた前記データ線駆動手段が前記操作画像データに従って前記データ線を駆動することを特徴とする。
【０００５】
好ましくは、前記供給手段から供給される操作画像データによって表される画像を表示する場合には、当該操作画像データに対応する前記組に含まれる識別子が割り当てられた前記走査線群駆動手段は、自手段に対応する走査線群のうち一部の走査線のみを駆動し、前記組に含まれる識別子が割り当てられた前記データ線群駆動手段は、自手段に対応するデータ線群のうち一部のデータ線のみを前記操作画像データに従って駆動するとよい。
【０００６】
また、好ましくは、前記供給手段は、前記コンテンツデータ記憶手段に記憶された前記コンテンツデータに対しては所定の処理を施して前記表示装置に供給し、前記操作画像データ記憶手段に記憶された前記操作画像データに対しては前記所定の処理を施すことなく前記表示装置に供給するとよい。
【０００７】
また、好ましくは、前記表示装置は、該表示装置に割り当てられた識別情報および該表示装置に表示された画像に割り当てられた識別情報のうち少なくともいずれか一方を記憶する識別情報記憶手段と、前記識別情報記憶手段が記憶する識別情報を前記制御装置へ送信する識別情報送信手段とを備え、前記制御装置の前記操作画像データ記憶手段は、前記識別情報に対応付けて、前記操作画像データ及び前記識別子の組を記憶し、前記制御装置の前記供給手段は、前記識別情報送信手段によって送信された識別情報に対応する前記操作画像データ及び前記識別子の組を前記操作画像データ記憶手段から読み出して前記表示装置に供給するとよい。
【０００８】
また、好ましくは、前記表示装置は、ユーザの操作を受け付けて該操作に応じた操作信号を出力する操作手段を備え、前記制御装置は、前記操作手段が出力する操作信号を受け取って、該操作信号によって指示される操作画像データを特定する操作画像データ特定手段と、前記操作画像データ毎に、該操作画像データが前記操作画像データ特定手段により特定された回数を記憶する回数記憶手段とを備え、前記制御装置の前記操作画像データ記憶手段は、前記回数記憶手段に記憶されている回数に応じて、前記操作画像データと前記識別子の組との対応関係を書き換えるとよい。
【０００９】
また、好ましくは、前記表示装置は、前記供給手段から供給される操作画像データと識別子の組とを対応付けて記憶する記憶手段を備え、前記制御装置は、閾値を記憶する閾値記憶手段と、所定の条件を満たすか否かを判断する判断手段と、前記判断手段が前記所定の条件を満たすと判断した時点から経過した時間を計測する計測手段とを備え、前記制御装置の前記供給手段は、前記計測手段により計測された時間と前記閾値記憶手段に記憶された閾値とを比較した比較結果に応じて予め定められた前記識別子の組を前記表示装置に供給し、前記供給手段から供給される識別子の組に対応する操作画像データによって表される画像を表示する場合には、前記供給手段から供給される組に含まれる識別子が割り当てられた前記走査線駆動手段が、前記各走査線を駆動するのに合わせて、当該組に含まれる識別子が割り当てられた前記データ線駆動手段が、当該組に対応する操作画像データを前記記憶手段から読み出し、読み出した該操作画像データに従って前記データ線を駆動するとよい。
【００１０】
また、好ましくは、前記制御装置は、閾値を記憶する閾値記憶手段と、所定の条件を満たすか否かを判断する判断手段と、前記判断手段が前記所定の条件を満たすと判断した時点から経過した時間を計測する計測手段とを備え、前記制御装置の前記供給手段は、前記計測手段により計測された時間と前記閾値記憶手段に記憶された閾値とを比較した比較結果に応じて予め定められた前記識別子の組を前記表示装置に供給し、前記供給手段から供給される識別子の組に対応する操作画像データによって表される画像を消去する場合には、前記供給手段から供給される組に含まれる識別子が割り当てられた前記走査線駆動手段が、前記各走査線を駆動するのに合わせて、当該組に含まれる識別子が割り当てられた前記データ線駆動手段が、前記データ線を駆動するとよい。
【００１１】
また、好ましくは、前記制御装置は、画像を表示する画像表示手段を備え、前記制御装置の前記操作画像データ記憶手段は、操作に用いる画像を表す操作画像データと、各々の前記走査線駆動手段に割り当てられた識別子および各々の前記データ線駆動手段に割り当てられた識別子の組または前記画像表示手段を指定する指定情報とを対応付けて記憶し、前記制御装置の前記画像表示手段は、前記指定情報に対応する操作画像データを前記操作画像データ記憶手段から読み出して表示するとよい。
【００１２】
また、好ましくは、前記表示装置および前記制御装置の少なくともいずれか一方は、ユーザの操作を受け付け、該操作に応じた操作信号を出力する操作手段を備え、前記制御装置は、前記操作手段が出力する操作信号によって指示される操作画像データを特定する操作画像データ特定手段と、前記操作画像データ毎に、該操作画像データが特定された回数を記憶する回数記憶手段とを備え、前記制御装置の前記操作画像データ記憶手段は、前記回数記憶手段に記憶されている回数に応じて、前記操作画像データと前記識別子の組との対応関係を書き換えるとよい。
【００１３】
また、好ましくは、前記制御装置は、重ねられた複数の前記表示装置に着脱自在であり、前記複数の表示装置のうち少なくとも一部の表示装置を他の表示装置と識別する識別手段を備え、前記供給手段は、前記識別手段が識別した表示装置と他の表示装置とにそれぞれ異なるデータを供給するとよい。
【発明の効果】
【００１４】
本発明の請求項１に係る発明によれば、本構成を有しない場合に比して、画像情報処理システムにおいて、操作に用いる操作画像を高速に表示させることができる。
本発明の請求項２に係る発明によれば、本構成を有しない場合に比して、画像情報処理システムにおいて、操作に用いる操作画像を高速に表示させることができる。
本発明の請求項３に係る発明によれば、本構成を有しない場合に比して、画像情報処理システムにおいて、操作に用いる操作画像を高速に表示させることができる。
本発明の請求項４に係る発明によれば、本構成を有しない場合に比して、画像情報処理システムにおいて、操作に用いる操作画像を高速に表示させることができる。
本発明の請求項５に係る発明によれば、本構成を有しない場合に比して、画像情報処理システムにおいて、ユーザの操作性を高めることができる。
本発明の請求項６に係る発明によれば、本構成を有しない場合に比して、画像情報処理システムにおいて、ユーザの操作性を高めることができる。
本発明の請求項７に係る発明によれば、本構成を有しない場合に比して、画像情報処理システムにおいて、ユーザの操作性を高めることができる。
本発明の請求項８に係る発明によれば、本構成を有しない場合に比して、画像情報処理システムにおいて、ユーザの操作性を高めることができる。
本発明の請求項９に係る発明によれば、本構成を有しない場合に比して、画像情報処理システムにおいて、ユーザの操作性を高めることができる。
本発明の請求項１０に係る発明によれば、画像情報処理システムにおいて、複数の表示装置に対して異なる画像を表示させることができる。
【発明を実施するための最良の形態】
【００１５】
以下、図面を参照して本発明の実施の形態を説明する。
（Ａ：構成）
図１は画像情報処理システム１の全体構成を示す図である。図１に示すように、画像情報処理システム１は、薄手の平面状に構成された表示装置である表示媒体１０と、表示媒体１０に着脱自在な制御手段の一例として、表示媒体１０に接続して、表示媒体１０を制御するコントローラ２０とを備えている。表示媒体１０の所定の位置（図１においては、表示媒体１０の裏側であって右側の中程の位置）には、後述する電力受給端子１４１とデータ端子１４２が視認可能に配置されており、ユーザが、これらの端子が配置された表示媒体１０の部分をコントローラ２０で挟み込むことにより、表示媒体１０とコントローラ２０は接続され、表示媒体１０は、コントローラ２０の制御下に置かれる。
【００１６】
図２は画像情報処理システム１の各部の関係を示したブロック図である。図２に示すように、表示媒体１０は、走査線駆動回路１１、データ線駆動回路１２、表示領域１３およびインタフェース部１４を備える。また、コントローラ２０は、ＣＰＵ（Central Processing Unit）２１、パネルコントローラ２２、ＧＰＵ（Graphics Processing Unit）２３、記憶部２４および電源部２９を備える。
【００１７】
まず、表示媒体１０を構成する各部について説明する。
表示媒体１０の表示領域１３には、図１に示す横方向に１２８０本の走査線ＳＬ１，ＳＬ２，…，ＳＬ１２８０（以下、これらを区別しないときには単に走査線ＳＬという）と、図１に示す縦方向に１０２４本のデータ線ＤＬ１，ＤＬ２，…，ＤＬ１０２４（以下、これらを区別しないときには単にデータ線ＤＬという）が並べられている。これらの走査線ＳＬとデータ線ＤＬは略直角に交差しており、これら複数の走査線ＳＬと複数のデータ線ＤＬとが交差する位置にそれぞれ対応して複数の画素が設けられている。この画素は、例えば薄膜トランジスタとコレステリック液晶などの表示素子を備え、この画素にデータ線ＤＬが出力した信号が書き込まれることにより、表示領域１３に画像が表示される。
【００１８】
走査線駆動回路１１には、走査線駆動回路１１ａ，１１ｂ，１１ｃ，１１ｄ，１１ｅの５つがあり、それぞれに「１１ａ」、「１１ｂ」、「１１ｃ」、「１１ｄ」、「１１ｅ」の識別子が割り当てられ、図１の縦方向に配列されている。走査線ＳＬは、２５６本ずつの群（走査線群）に分けられており、各走査線駆動回路１１には、それぞれこの走査線群が接続されている。各走査線駆動回路１１は、自身に接続されているこの走査線群に所定のタイミングで駆動電圧をかけるように構成されている。すなわち、本実施形態の走査線駆動回路１１は、複数の走査線を構成する複数の走査線群の各々に対応して設けられ、対応する各走査線群に含まれる複数の走査線のそれぞれを駆動する複数の走査線駆動手段の一例である。
【００１９】
データ線駆動回路１２には、データ線駆動回路１２ａ，１２ｂ，１２ｃ，１２ｄの４つがあり、それぞれに「１２ａ」、「１２ｂ」、「１２ｃ」、「１２ｄ」の識別子が割り当てられ、図１の横方向に配列されている。各データ線ＤＬは、２５６本ずつの群（データ線群）に分けられており、各データ線駆動回路１２には、それぞれこのデータ線群が接続されている。各データ線駆動回路１２には、それぞれラインメモリ１２１ａ，１２１ｂ，１２１ｃ，１２１ｄ（以下、これらを区別しないときには単にラインメモリ１２１という）とアイコンメモリ１２２ａ，１２２ｂ，１２２ｃ，１２２ｄ（以下、これらを区別しないときには単にアイコンメモリ１２２という）とを備えている。このラインメモリ１２１は、コントローラ２０から供給されるコンテンツデータ（後述する）を記憶する。各々の走査線駆動回路１１が各走査線を駆動するのに合わせて、各々のデータ線駆動回路１２が、このコンテンツデータに従って各データ線ＤＬを駆動することで、上述の複数の画素が書き換わり、表示領域１３にコンテンツデータによって表される内容のコンテンツが表示される。また、このアイコンメモリ１２２は、コントローラから供給されるアイコンデータ（後述する）と、各走査線駆動回路１１の識別子および各データ線駆動回路１２の識別子の組とを対応付けて記憶する。コントローラから供給される組に含まれる識別子が割り当てられた走査線駆動回路１１が、各走査線を駆動するのに合わせて、この組に含まれる識別子が割り当てられたデータ線駆動回路１２が、当該組に対応するアイコンデータをアイコンメモリ１２２から読み出し、読み出したこの操作画像データに従ってデータ線ＤＬを駆動することで、コントローラから供給される識別子の組に対応するアイコンデータによって表される画像を表示する。すなわち、本実施形態のデータ線駆動回路１２は、複数のデータ線を構成する複数のデータ線群の各々に対応して設けられ、対応する各データ線群に含まれる複数のデータ線のそれぞれを駆動する複数のデータ線駆動手段の一例である。なお、このラインメモリ１２１とアイコンメモリ１２２は、いずれも揮発性の記憶媒体であり、電源遮断とともにその記憶内容が消失する。
【００２０】
インタフェース部１４は、電力受給端子１４１とデータ端子１４２を備えている。電力受給端子１４１は、コントローラ２０から電力の供給を受ける端子である。データ端子１４２は、表示媒体１０がコントローラ２０とデータをやり取りするための端子である。
位置検知部１５は、表示領域１３のうち、ユーザが指示する位置を検出し、検出した位置の情報を、インタフェース部１４のデータ端子１４２を介してコントローラ２０へ出力する位置検知手段である。本実施形態においては、位置検知手段の一例として、表示領域１３に重ねて設けられた抵抗膜方式の透明タッチパネルを用いる。ユーザはペン先などで位置検知部１５である、この透明タッチパネルを押下することで、表示領域１３の任意の位置を指示する。なお、この位置検知部１５は、ユーザの指示操作を受け取り、この操作に応じた操作信号を出力する操作手段の一例でもある。
【００２１】
次に、コントローラ２０を構成する各部について説明する。
電源部２９は、リチウムイオンポリマー二次電池などであり、図示しない電力線を介してコントローラ２０の各部に電力を供給するほか、電力供給端子２９１と電力受給端子１４１とが接触することにより、表示媒体１０の各部に電力を供給する。
【００２２】
記憶部２４はフラッシュメモリなどの不揮発性の記憶手段であり、ＣＰＵ２１に読み込まれるプログラムを記憶するほか、アイコンデータベース（図中において、アイコンＤＢと表記する）２４１、アイコン対応表２４２、コンテンツデータベース（図中において、コンテンツＤＢと表記する）２４３を記憶する。操作アイコンとは、操作に用いる画像であり、例えば「ページ送り」や「画像のコピー」等を表現する画像である。アイコンデータベース２４１は、操作アイコンの識別子ごとにその操作アイコンのラスタイメージデータ（以下、アイコンデータという）が書き込まれたデータベースである。アイコン対応表２４２は、各操作アイコンの識別子とその各操作アイコンを表示させる走査線駆動回路１１およびデータ線駆動回路１２の各識別子の組と、その操作アイコンが指示された場合に行う処理のサブルーチン名とが対応づけて書き込まれた表である。コンテンツデータベース２４３は、ファイル名とページ番号ごとにコンテンツデータが書き込まれたデータベースである。ここで、コンテンツデータとは、表示媒体１０の表示領域１３に画像として表示されるコンテンツの内容を記述したものであり、文書、ベクタイメージ、圧縮されたラスタイメージデータなどである。したがって、本実施形態の記憶部２４は、コンテンツの内容を表すコンテンツデータを記憶するコンテンツデータ記憶手段の一例であるとともに、操作に用いる画像を表す操作画像データと、各々の走査線駆動手段に割り当てられた識別子および各々のデータ線駆動手段に割り当てられた識別子の組とを対応付けて記憶する操作画像データ記憶手段の一例である。
【００２３】
図３は、アイコンデータベース２４１とアイコン対応表２４２を説明する図である。図３（ａ）に示すように、アイコンデータベース２４１は、操作アイコンの識別子であるアイコンＩＤと、そのアイコンデータとを対応付けている。アイコンデータは６４行６４列のラスタイメージデータであり、ユーザが表示媒体１０に対して行う操作を表現した図形や絵柄などが描かれている。例えば、図３（ａ）には、アイコンＩＤ「Ｉ２」に対応付けられたアイコンデータとして「ファイルフォルダを開く操作を表現した絵柄」が記憶されていることが示されている。
【００２４】
また、図３（ｂ）に示すように、アイコン対応表２４２は、アイコンデータのアイコンＩＤと、そのアイコンデータを表示する際に駆動する走査線駆動回路１１およびデータ線駆動回路１２の各識別子とを対応付けており、さらに、アイコンＩＤと、その操作アイコンが指示された場合にコントローラ２０のＣＰＵ２１が行う処理のサブルーチン名とを対応付けている。例えば、アイコンＩＤ「Ｉ２」は、これに対応付けられたアイコンデータを表示する際に駆動する回路として、走査線駆動回路１１ｂおよびデータ線駆動回路１２ａに対応付けられており、これが指示された場合にＣＰＵ２１が行う処理のサブルーチン名として「ＯｐｅｎＤｏｃｕｍｅｎｔ」が対応付けられている。
【００２５】
図４は、コンテンツデータベース２４３を説明する図である。図に示すように、コンテンツデータベース２４３には、ファイルを識別する各ファイル名と、ページ番号毎に記述されたコンテンツデータとが対応付けられて書き込まれている。このコンテンツデータは、上述したように文書、ベクタイメージなどであり、後述するＧＰＵ２３の処理によって画像情報に変換される。図４には、ファイル名「ＦＩＬＥ２」のページ番号「２」の画像が示されている。
【００２６】
図２に戻り、コントローラ２０の構成の説明を続ける。ＣＰＵ２１は、記憶部２４に記憶されているコンピュータプログラムを、ＣＰＵ２１に備えられたＲＡＭ（Random Access Memory）に読み出して実行することによりコントローラ２０の各部を制御する。また、ＣＰＵ２１は、水晶振動子を有する発振回路によって周期的な信号（以下、クロックという）を発生し、時間の計測や装置の同期などを行うタイマを備えている。
ＧＰＵ２３は、ＣＰＵ２１によって記憶部２４から読み出されたコンテンツデータに基づき、表示媒体１０の表示領域１３に表示させる画像情報をＶＲＡＭ２３１に展開する。ここで、この画像情報は、表示媒体１０の表示領域１３が同時に表示できる１２８０行１０２４列のラスタイメージデータである。
【００２７】
パネルコントローラ２２は、ＣＰＵ２１のタイマが出力したクロックに基づいて、走査線駆動回路１１とデータ線駆動回路１２とを同期させるための同期信号を発生する。そしてパネルコントローラ２２は、この同期信号とともに、ＧＰＵ２３がＶＲＡＭ２３１に展開した画像情報や、ＣＰＵ２１が記憶部２４から読み出したアイコンデータを、データ端子２２１を介して表示媒体１０へ供給する。そして、供給された同期信号に応じて表示媒体１０の走査線駆動回路１１およびデータ線駆動回路１２が同期し、供給された画像情報やアイコンデータに応じて走査線駆動回路１１およびデータ線駆動回路１２が駆動して、表示領域１３に配列された画素に画像が表示される。すなわち、本実施形態のパネルコントローラ２２は、コンテンツデータ記憶手段に記憶されたコンテンツデータと、操作画像データ記憶手段に記憶された操作画像データ及びこの操作画像データに対応する識別子の組とを、表示媒体１０に供給する供給手段の一例である。
【００２８】
図５は、コントローラ２０の外観を示す図である。図５（ａ）に示すように、コントローラ２０は、２枚の平板状の上側筐体２５１ａと下側筐体２５１ｂが重ねられ、これらの一方の辺を蝶番２５２ａ，２５２ｂ（以下、これらを区別しないときには単に蝶番２５２という）によって接続したクリップ状をしている。この蝶番２５２によって、上側筐体２５１ａと下側筐体２５１ｂとは０度から９０度まで開閉することが可能となっている。図５（ａ）には、上側筐体２５１ａと下側筐体２５１ｂとを閉じた状態のコントローラが示されており、図５（ｂ）には、上側筐体２５１ａと下側筐体２５１ｂとを９０度まで開いた状態のコントローラ２０が示されている。図５（ｂ）に示すように、下側筐体２５１ｂには電力供給端子２９１とデータ端子２２１とが設けられている。この下側筐体２５１ｂに設けられた電力供給端子２９１とデータ端子２２１とが、インタフェース部１４の電力受給端子１４１とデータ端子１４２とそれぞれ重なるように、表示媒体１０を載せ、上側筐体２５１ａを閉じることによって、コントローラ２０と表示媒体１０は接続され、コントローラ２０から表示媒体１０に電力とデータが供給される。なお、ＣＰＵ２１は、電力供給端子２９１の電位の変化等に基づいて、これらの端子同士が接続されたか否かを検知可能な構成となっている。
【００２９】
（Ｂ：動作）
次に、画像情報処理システム１の動作について説明する。以下、画像情報処理システム１の動作を、接続の動作、指示内容特定の動作、操作アイコン表示の動作、コンテンツ表示の動作の４つに分けて説明する
【００３０】
（Ｂ−１：接続の動作）
図６は、表示媒体１０とコントローラ２０とを接続したときの動作を説明するシーケンス図である。ユーザが表示媒体１０にコントローラ２０を挟むと、コントローラ２０のＣＰＵ２１は、端子同士が接続されたことを検知し（ステップＳＡ００１）、表示媒体１０に電力を供給する（ステップＳＡ００２）。そして、ＣＰＵ２１は、記憶部２４のアイコンデータベース２４１とアイコン対応表２４２から各アイコンデータと、これらに割り当てられた走査線駆動回路１１およびデータ線駆動回路１２のそれぞれの識別子を読み出し（ステップＳＡ００３）、これらの情報を表示媒体１０へ送信する（ステップＳＡ００４）。これらの情報をコントローラ２０から受け取った表示媒体１０は、各アイコンデータを、これに割り当てられたデータ線駆動回路１２のアイコンメモリ１２２に、それぞれ走査線駆動回路１１の識別子毎に記憶する（ステップＳＡ００５）。ここで、アイコンメモリ１２２の記憶内容は、上述した接続時に一度書き込まれ、コントローラ２０から電源が供給されている間は、保持され続ける。
【００３１】
（Ｂ−２：指示内容特定の動作）
図７は、ユーザが指示した位置に基づいて指示内容を特定する動作を説明するシーケンス図である。ユーザが、所定のペン先などで表示媒体１０の位置検知部１５である透明タッチパネルを押下すると、この位置検知部１５は、押下された位置を検知し（ステップＳＡ１０１）、表示領域１３において指示された位置を示す位置情報をコントローラ２０へ送信する（ステップＳＡ１０２）。コントローラ２０のＣＰＵ２１は、この位置情報（操作信号）を受け取ると、この位置情報に基づき、指示内容を特定し（ステップＳＡ１０３）、特定した指示内容に応じた処理を実行する（ステップＳＡ１０４）。例えば、位置情報が示す位置に、後述する操作アイコン表示によって操作アイコンが表示されている場合には、まず、位置情報が示す位置によって指示される操作アイコンのアイコンデータを特定し、アイコン対応表２４２を参照して、その表示されている操作アイコンに対応するサブルーチン名を特定し、このサブルーチン名を有するサブルーチンを実行する。また、ファイルを開く処理の過程にあって、位置情報が示す位置に、コントローラ２０の記憶部２４が記憶しているファイルのファイル名やページ番号が記述されている場合には、ＣＰＵ２１は、このファイル名を特定し、記憶部２４のコンテンツデータベース２４３を参照して、このファイル名に対応するコンテンツデータを読出し、ＧＰＵ２３によって、読み出したコンテンツデータに基づいてラスタイメージデータである画像情報を生成させる。なお、ＣＰＵ２１が位置情報に基づいて指示内容を特定するには、直前に行った操作アイコン表示やコンテンツ表示の内容をＣＰＵ２１のＲＡＭやＧＰＵ２３のＶＲＡＭ２３１に記憶しておき、これらを参照すればよい。
【００３２】
（Ｂ−３：コンテンツ表示の動作）
図８は、表示媒体１０がコンテンツを表示する際の動作を説明するシーケンス図である。コントローラ２０のＣＰＵ２１は、上述した指示内容特定の結果として、表示媒体１０に表示すべき画像を特定する（ステップＳＡ２０１）。例えば、指示内容特定の結果、特定した指示内容が、あるファイル名のあるページ番号に対応付けられたコンテンツデータを表示させるというものであれば、ＣＰＵ２１は、このファイル名・ページ番号のコンテンツデータを記憶部２４のコンテンツデータベース２４３から読み出し、ＧＰＵ２３により、このコンテンツデータに基づく画像情報を生成させる（ステップＳＡ２０２）。そして、コントローラ２０のパネルコントローラ２２は、ＧＰＵ２３に生成させた画像情報を表示媒体１０に送信する（ステップＳＡ２０３）。表示媒体１０は、コントローラ２０から画像情報を受け取ると、この画像情報を対応するデータ線駆動回路１２毎に分割し、それぞれをデータ線駆動回路１２のラインメモリ１２１に記憶させ（ステップＳＡ２０４）、コントローラ２０に記憶が完了した旨を通知する（ステップＳＡ２０５）。コントローラ２０は、この通知を受け取ると、ＣＰＵ２１が出力するクロックを基に、パネルコントローラ２２によって同期信号を発生させ（ステップＳＡ２０６）、これを送信する（ステップＳＡ２０７）。表示媒体１０は、この同期信号を受け取ると、走査線駆動回路１１とデータ線駆動回路１２とを同期させる（ステップＳＡ２０８）。そして、各データ線駆動回路１２は、走査線駆動回路１１による各走査線の走査に同期して、ラインメモリ１２１から分割された画像情報を読み出し（ステップＳＡ２０９）、この画像情報をデータ線に供給する。これによりコンテンツが表示領域１３に表示される（ステップＳＡ２１０）。
【００３３】
（Ｂ−４：操作アイコン表示の動作）
図９は、表示媒体１０が操作アイコンを表示する際の動作を説明するシーケンス図である。この動作の概要は、所定の条件が満たされたとき、コントローラ２０のＣＰＵ２１は、表示媒体１０に対し操作アイコンを表示する命令をするということである。この所定の条件としては、様々なものが考えられるが、表示媒体１０とコントローラ２０とが接続した直後であることをこの所定の条件としてもよいし、表示媒体１０の位置検知部１５がユーザの指示位置を検知して当該指示位置を示す指示位置情報をコントローラ２０に送り、ＣＰＵ２１が受け取ったこの指示位置情報と予め記憶部２４に記憶されている範囲情報とを比較し、指示位置情報が示す指示位置が、この範囲情報が示す所定の範囲内に入っていることを所定の条件としてもよい。また、所定の条件は、これらの両方であってもよい。
【００３４】
まず、コントローラ２０は、ＣＰＵ２１が出力するクロックを基に、パネルコントローラ２２によって同期信号を発生させ（ステップＳＡ３０１）、これに所定のパルス信号を付加して（ステップＳＡ３０２）、送信する（ステップＳＡ３０３）。表示媒体１０は、この同期信号と付加されたパルス信号（以下、付加パルスという）を受け取ると、走査線駆動回路１１とデータ線駆動回路１２とを同期させる（ステップＳＡ３０４）。付加パルスは、４つのデータ線駆動回路１２のそれぞれに供給され、各データ線駆動回路１２は、この付加パルスに応じてそのアイコンメモリ１２２からアイコンデータを読み出し（ステップＳＡ３０５）、走査線駆動回路１１による各走査線の走査に同期して、このアイコンデータをデータ線に供給する。これにより付加パルスに応じた操作アイコンが表示領域１３に表示される（ステップＳＡ３０６）。
【００３５】
図１０は、付加パルスによって、全ての操作アイコンが表示される場合を説明する図である。図１０（ａ）の縦軸は信号値を示しており、横軸は時刻ｔを示している。信号値は、ハイレベル（図中ではＨと表記する）およびローレベル（図中ではＬと表記する）のいずれかである。同期信号は、所定の時間に亘って信号値がハイレベルになっていることをもって表示媒体１０に認識され、同期信号の後、信号値がローレベルになった瞬間に走査線駆動回路１１とデータ線駆動回路１２とが同期する。この同期したタイミングを原点Ｏとし、原点Ｏから所定時間に亘って付加パルスを受け取るＯＮ期間が定められている。このＯＮ期間は時間の経過にしたがって順に第１ＯＮ期間、第２ＯＮ期間、第３ＯＮ期間、第４ＯＮ期間に区分けされている。第１ＯＮ期間はデータ線駆動回路１２ａに対応し、第２ＯＮ期間はデータ線駆動回路１２ｂに対応し、第３ＯＮ期間はデータ線駆動回路１２ｃに対応し、第４ＯＮ期間はデータ線駆動回路１２ｄに対応している。各データ線駆動回路１２は、自身に対応するＯＮ期間において、自身の識別子と対応付けて記憶されているアイコンデータをアイコンメモリ１２２から読み出し、読み出したアイコンデータに応じてデータ線の駆動を行う。例えば、図１０の例では、データ線駆動回路１２ａ〜１２ｄに対応する全てのＯＮ期間が存在するので、全てのデータ線駆動回路１２のアイコンメモリ１２２から操作アイコンが読み出され、表示領域１３に表示される。
一方、図１１は、付加パルスによって、一部の操作アイコンが表示される場合を説明する図である。図１１（ａ）に示す付加パルスは、第１ＯＮ期間と第４ＯＮ期間のみに信号値がハイレベルとなっている。したがって、データ線駆動回路１２ａ，１２ｄのみが駆動し、その結果、データ線駆動回路１２ａ，１２ｄに対応する操作アイコンＩ１〜Ｉ６のみが読み出され、表示領域１３に表示される。
【００３６】
ここで、操作アイコンがコンテンツの画像情報に重畳して描かれる際の部分書き換えについて説明する。図１２は、この部分書き換えを説明するための概略図である。図１２の右側には、操作アイコンＩ１のうち、左上の２行２列分の画素が示されている。図１２の左側には、これらの画素が、表示媒体１０の表示領域１３に表示される先を示している。このように、表示領域１３において、操作アイコンの画素は縦横ともに４つ置きに割り当てられる。したがって、操作アイコンを表示させるときには、走査線駆動回路１１の走査線は、４本置きに走査を行う（図示の例では、走査線ＳＬ１、ＳＬ５・・・）。すなわち、ある走査線から次の走査線に走査を進める際に、連続する３本の走査線を飛ばして走査を行うのである。そして、データ線駆動回路１２も、４本置きのデータ線のみを駆動させ（図示の例では、データ線ＤＬ１、ＤＬ５・・・）、画素に画像情報を出力する。つまり、走査線駆動回路１１は、自手段に対応する走査線群のうち一部の走査線ＳＬのみを駆動し、データ線駆動回路１２は、自手段に対応するデータ線群のうち一部のデータ線ＤＬのみをアイコンデータに従って駆動する。これにより、駆動されなかった走査線およびデータ線の少なくとも一方の上に設けられた画素は、従前の状態を維持するので、表示媒体１０は、部分書き換えを行うことができる。なお、ここでは、４本置きに走査線およびデータ線が駆動されたが、この本数は４本に限られず、２以上の整数であればこのような部分書き換えを行うことができる。また、駆動しない線の本数は、走査線とデータ線とで同じである必要はなく、例えば、走査線を２本置きに、データ線を３本置きに駆動させてもよい。
【００３７】
図１３は、操作アイコンがコンテンツの画像情報に重畳して描かれている様子を説明する図である。上述のように、操作アイコンを描画する際に、表示媒体１０は、走査線とデータ線をそれぞれ所定本数置きに駆動させることにより、部分書き換えを行うため、図に示すように、コンテンツの画像情報に、操作アイコンの各画素が分散して描画されるため、操作アイコンがコンテンツの画像に重畳して描かれることとなる。
【００３８】
以上のような構成により、コンテンツと操作アイコンとは、別々の手順に従って表示媒体１０の表示領域１３に描画される。これにより、第一に、操作アイコンを描画させるためのアイコンデータは、コントローラ２０との接続時に一度だけ表示媒体１０に送られ、この接続期間中はアイコンメモリ１２２に記憶される。したがって、表示媒体１０は、操作アイコンを描画させる度に、コントローラ２０からアイコンデータを受け取る必要がないので、高速に操作アイコンの描画を行うことができる。第二に、アイコンデータはラスタイメージデータであるため、コントローラ２０においてＧＰＵ２３による所定の処理を施すことなく、直接、表示媒体１０に供給することができる。したがって、ＧＰＵ２３における処理時間や、ＧＰＵ２３との情報のやり取りに費やす時間を短縮することができるため、高速に操作アイコンの描画を行うことができる。第三に、各アイコンデータはそれぞれ固有の走査線駆動回路１１とデータ線駆動回路１２との組に予め対応付けられているため、操作アイコンを描画させる位置について計算をする必要が無い。したがって、高速に操作アイコンの描画を行うことができる。第四に、操作アイコンを描画する際に、表示媒体１０は、走査線とデータ線をそれぞれ所定本数置きに駆動させるので、同じ範囲に操作アイコンを描画する場合において、その範囲を通過する全ての走査線とデータ線を駆動させる場合に比べ、高速に操作アイコンの描画を行うことができ、また、描画範囲にもともと描かれていた画像が部分的に残るため、ユーザは、操作アイコンが描かれた位置のコンテンツを推認することができる。
【００３９】
また、この画像情報処理システム１の表示媒体１０とコントローラ２０は着脱自在に構成されている。したがって、ユーザは、コントローラ２０を取り外すことで、その重量が表示媒体１０にかからない様にすることができる。コントローラ２０を取り外しても、表示媒体１０の表示内容は維持されるので、例えば、単に表示内容を読むだけであれば、ユーザは表示媒体１０のみを取り扱うだけでよい。したがって、ユーザの利便性を向上させることができる。
【００４０】
（Ｃ：変形例）
上述の実施形態を以下のように変形してもよい。
（１）上述の実施形態においては、表示媒体１０の所有者や、表示媒体１０そのものの固有の条件、または表示媒体１０に表示された内容に関わらず、同じ操作アイコンが表示され、操作アイコンによって処理が行われていたが、表示媒体１０に対応付けられた識別情報や表示媒体１０に表示された画像の識別情報に応じて、表示される操作アイコンが変わったり、操作アイコンによって実行可能な処理が変わったりしてもよい。この場合、表示媒体１０は、その表示媒体１０の所有者の識別子や表示媒体１０の製造番号など、表示媒体１０に対応付けられた識別情報と、表示媒体１０に最後に表示された画像の識別情報（ファイル名とページ番号の組など）とを記憶する記憶部（識別情報記憶手段）を備えており、表示媒体１０とコントローラ２０（識別情報送信手段）が接続され表示媒体１０に電力が供給された直後、すなわち、上述したステップＳＡ００２の後に、これらを、コントローラ２０に送信するようにしてもよい。そして、コントローラ２０の記憶部２４には、アイコン対応表２４２が記憶されているが、このアイコン対応表２４２に、さらに、表示媒体１０の所有者の識別子、表示媒体１０の製造番号、およびファイル名とページ番号の組などを記述するフィールドを設けておき、ＣＰＵ２１は、表示媒体１０から受け取った所有者識別子や製造番号等と、このフィールドに記述されている所有者識別子や製造番号等とを比較し、一致しない場合には、例えばパネルコントローラ２２が送信する付加パルスを変更することにより、その操作アイコンを表示媒体１０に表示させないようにするなどなんらかの制限をするようにしてもよい。これにより、例えば、予め許可された所有者でなければ、表示内容の複製ができないようにするなど、個々のユーザやコンテンツの内容に応じて処理に制限を加えることができるため、セキュリティを向上させることができる。なお、表示媒体１０が、上述の識別情報をコントローラ２０に送信するタイミングは、上述したステップＳＡ００２の後に限られず、様々なタイミングでこれを行ってもよい。例えば、表示媒体１０の位置検知部１５が、検知した位置の位置情報をコントローラ２０に送信するタイミングで、これを送信してもよい。また、表示媒体１０が記憶し、送信する識別情報は、所有者の識別子、表示媒体１０の製造番号、およびファイル名とページ番号の組に限られず、他の様々な識別情報を記憶し、送信してもよく、また、これらの一部のみを記憶し、送信するようにしてもよい。
【００４１】
（２）上述の実施形態においては、コントローラ２０には、ユーザの操作を受け付けてその操作に応じた操作信号を出力する操作手段がなく、ＣＰＵ２１は、端子同士が接続されたことを検知することによって、操作アイコンを表示媒体１０へ送信していたが、コントローラ２０にユーザの操作を受け付けて操作内容に応じた信号を出力する操作手段を設け、この操作手段が出力する信号に基づいて、種々の処理を行ってもよい。
また、上述の実施形態においては、コントローラ２０には、画像を表示する画像表示手段を設けていなかったが、コントローラ２０に表示媒体１０とは別個の画像表示手段を設けてもよい。
【００４２】
図１４は、コントローラ２０に操作手段と表示装置を設けた態様を説明する図である。このように、コントローラ２０には、ユーザの走査を受け取る操作手段としての操作部２６と、画像を表示する表示装置としての表示部２７が備えられている。操作部２６には、透明タッチパネル２６１とボタン２６２があり、それぞれ所定の機能が割り当てられている。表示部２７は、液晶ディスプレイであり、ここにはアイコン２７１、２７２、２７３が描画される。この液晶ディスプレイに重ねて透明タッチパネル２６１が設けられており、この透明タッチパネル２６１は、ユーザによってペン先などにより押下されると、その位置に対応する座標情報をＣＰＵ２１に出力する。ＣＰＵ２１は、この座標情報と、表示部２７の表示内容とを比較し、指示内容を特定する。なお、表示部２７の表示内容は、ＣＰＵ２１のＲＡＭに記憶されていてもよいし、ＧＰＵ２３のＶＲＡＭ２３１に記憶されていてもよい。また、ユーザによりボタン２６２が押下されると、ボタン２６２は信号を出力し、この信号がＣＰＵ２１に受け取られると、これを契機として、上述したステップＳＡ００３〜ＳＡ００５の処理、すなわち、アイコンデータベース２４１に記憶されたアイコンデータを、表示媒体１０の複数のアイコンメモリ１２２に記憶させる処理が行われる。なお、上記のボタン押下に伴って、アイコンデータをアイコンメモリ１２２に記憶させる処理に替えて、操作アイコン表示の処理を行うようにしてもよい。
【００４３】
（３）上述の実施形態においては、表示媒体１０にはＣＰＵなどの制御装置が設けられておらず、付加パルスは、４つのデータ線駆動回路１２のそれぞれに供給されることによって、表示される操作アイコンが特定された。しかし、表示媒体１０にＣＰＵなどの制御装置を設け、付加パルスを解析させてもよい。
【００４４】
また、上述の実施形態においては、付加パルスで表される各ＯＮ期間は各データ線駆動回路１２のそれぞれにのみ対応していたが、各走査線駆動回路１１のそれぞれに対応させてもよい。また、各走査線駆動回路１１および各データ線駆動回路１２の組に対応させてもよい。すなわち、コントローラ２０のパネルコントローラ２２は、付加パルスによって、各走査線駆動回路１１および各データ線駆動回路１２の識別子の組を表示媒体１０に供給してもよい。
【００４５】
（４）上述の実施形態においては、コントローラ２０によって挟まれる表示媒体１０は一枚のみであったが、二枚以上であってもよい。この場合、例えば、表示媒体１０に設けた電力受給端子１４１とデータ端子１４２は、いずれも裏面から表面へ導通するように構成しておけばよい。また、二枚以上の表示媒体１０のそれぞれに識別子が記憶されており、位置検知部１５が指示された位置に加えて、この表示媒体１０の識別子を送信することで、最も表側にある表示媒体１０を特定してもよい。このようにすると、最も表側にある表示媒体１０とそれ以外とで、処理内容を変えることができるので、例えば、この最も表側にある表示媒体１０に表示されている内容を、それ以外の表示媒体１０にコピーすることなどが容易にできる。
【００４６】
（５）上述の実施形態においては、位置検知手段の一例として、表示領域１３に重ねて設けられた抵抗膜方式の透明タッチパネルを用いたが、他の方式（マトリックススイッチ方式など）の透明タッチパネルであってもよい。また、位置検知手段は、タッチパネルに限られない。例えば、ユーザが表示領域１３のどこかを指示するペン先にカメラを内蔵させ、このカメラによって撮像された画像に基づいて、ユーザの指示した位置を検知する位置検出手段としてもよい。例えば、撮像された画像をコントローラ２０に送信し、コントローラ２０のＣＰＵ２１が、予め記憶部２４に記憶されたアイコンデータとこの送信された画像とを比較し、この２つの画像の一致度が所定の閾値を超える時は、その操作アイコンが指示されたとして処理を行ってもよい。この一致度は、パターン認識など周知のアルゴリズムにより算出すればよい。
【００４７】
また、表示媒体１０の表示領域１３の内側には、予め、その位置を示す特殊パターンが印刷されており、ユーザが使用するペン先に内蔵されたカメラが、指示された位置を撮像し、撮像画像をコントローラ２０に送信すると、コントローラ２０のＣＰＵ２１は、この撮像画像から上記の特殊パターンを抽出し、これを解析することによって、ペン先が指示した位置の表示領域１３における座標を算出するようにしてもよい。この特殊パターンは、表示媒体１０の表示内容に影響を与えないよう、小さなドットなどで描かれていたり、可視光を反射しない特殊な顔料によって描かれていたりしてもよい。なお、可視光を反射しない特殊な顔料としては、例えば、赤外線のみを反射する顔料などが挙げられるが、この場合には、例えば、ペン先にカメラの他に赤外線の照射装置を内蔵させ、ペン先が指示した位置に赤外線を照射し、この反射光を赤外線に感応するカメラによって撮像すればよい。
【００４８】
また、位置検出手段として、電磁誘導を利用した装置を用いてもよい。例えば、表示媒体１０の表示領域１３に、格子状に並べた配線と、その各交点に電磁コイルを内蔵させ、位置を指示するペン先に内蔵させた電界発生装置を検出させてもよい。この場合、上記電磁コイルの近傍に電界発生装置が置かれた場合に、電磁コイルに電流が流れるので、電磁コイルに接続された配線の電流値や電圧値を測定することで、位置を検出することができる。
【００４９】
（６）上述の態様においては、操作アイコンの描画のみについて言及し、操作アイコンの消去については特に述べなかったが、所定の条件を満たした場合に、表示媒体１０は、操作アイコンを消去して、操作アイコンの指示による処理を禁止するようにしてもよい。例えば、ＣＰＵ２１が、表示媒体１０に操作アイコンを表示してから、所定時間が経過したことを内蔵するタイマを用いて検知したときに、走査線駆動回路１１およびデータ線駆動回路１２を同期させて操作アイコンを消去するようにしてもよい。この場合、操作アイコンを消去した後、最後に表示媒体１０へ送信した画像情報をＧＰＵ２３によってＶＲＡＭ２３１から読み出し、これを表示媒体１０へ再送信して、表示領域１３の表示を更新させてもよい。
【００５０】
また、所定時間の経過を起算する基準点は、操作アイコンが表示された時点に限られない。例えば、最後にユーザによる指示が位置検知部１５によって検知された時点を基準点としてもよい。操作がしばらく無いときは、ユーザは操作を望んでいない場合であることが多いから、上述のようにすることによって、画像情報処理システム１は、ユーザが操作を望んでいない期間を自動的に推認して、操作アイコンを消去することができる。
【００５１】
また、任意の基準点から所定時間経過したときに、操作アイコンを描画させるようにしてもよい。例えば、表示媒体１０がコンテンツを表示した時点を基準点とし、所定時間を経過したときに、操作アイコンを描画させるようにしてもよい。コンテンツ表示の直後は、ユーザは表示させたコンテンツを見ることを望んでいて、コンテンツに重畳して表示される操作アイコンによってこれを妨げられることを望んでいない場合が多い。したがって、上述のようにすることによって、画像情報処理システム１は、ユーザが操作アイコンの描画を望んでいない期間を自動的に推認して、適切なタイミングで操作アイコンの描画を行うようにすることができる。
【００５２】
なお、所定時間を経過したことを検知する構成としては、例えば、記憶部２４に閾値を記憶させ、ＣＰＵ２１が、上述した所定の条件を満たすか否かを判断した時点から経過した経過時間を、ＣＰＵ２１に内蔵したタイマ（計測手段）が計測し、この経過時間と記憶部２４から読み出した閾値とを比較して比較結果に応じて予め定められた付加パルスを表示媒体１０へ供給すればよい。また、上述の経過時間が閾値を超えている場合に操作アイコンを描画してもよいし、消去してもよい。すなわち、比較結果に応じて付加パルス（走査線駆動回路１１およびデータ線駆動回路１２の各識別子の組）を供給すればよい。
【００５３】
（７）上述の態様においては、コントローラ２０は電源部２９の他に、ＣＰＵ２１、パネルコントローラ２２、ＧＰＵ２３および記憶部２４を備えていたが、コントローラ２０は、これらの全てを備える必要はなく、これらの一部のみを備える構成であってもよい。例えば、コントローラ２０には、電源部２９と通信部を設け、通信部が、ＣＰＵ、パネルコントローラ、ＧＰＵおよび記憶部を備える外部装置と通信するようにしてもよい。この場合、コントローラ２０と上記の外部装置が協働し、表示装置を制御する制御手段として機能する。
【００５４】
（８）上述の態様においては、各走査線駆動回路１１に接続されている走査線ＳＬの本数と各データ線駆動回路１２に接続されているデータ線ＤＬの本数は、ともに２５６本ずつであったが、これらの本数は２５６本に限られない。また、走査線駆動回路１１に接続されている走査線ＳＬの数とデータ線駆動回路１２に接続されているデータ線ＤＬは同じであってもよいし、異なっていてもよい。
【００５５】
また、上述の態様においては、どの走査線駆動回路１１にも、同じ本数の走査線ＳＬが接続されていたが、異なる本数が接続されていてもよい。同様に、上述の態様においては、どのデータ線駆動回路１２にも、同じ本数のデータ線ＤＬが接続されていたが、異なる本数が接続されていてもよい。このようにすると、走査線駆動回路１１とデータ線駆動回路１２の組が描画する範囲がそれぞれ異なるため、例えば、よく使う操作アイコンには大きなアイコンデータを用意し、あまり使わない操作アイコンには小さいアイコンデータを用意するなど、操作画面のデザインに自由度を与えることができる。
【００５６】
（９）上述の態様においては、コントローラ２０の記憶部２４のアイコン対応表２４２は、各操作アイコンの識別子とその各操作アイコンを表示させる走査線駆動回路１１およびデータ線駆動回路１２の各識別子の組を固定的に対応付けて記憶していたが、処理の進行に応じてこの対応関係を書き換えてもよい。例えば、操作アイコンがユーザによって指示された回数に応じて、この対応関係を書き換えてもよい。この場合、アイコン対応表２４２には、各操作アイコンの識別子毎に、その操作アイコンが特定された回数を記憶するフィールドが設けられている。表示媒体１０の位置検知部１５がユーザによって指示された位置を示す位置情報をコントローラ２０へ出力すると、コントローラ２０のＣＰＵ２１は、この位置情報によって指示されるアイコンデータを特定する。そして、ＣＰＵ２１は、アイコン対応表２４２から特定したアイコンデータの識別子に対応する回数を読出し、これに１を加えてアイコン対応表２４２に上書きする。記憶部２４には、予め操作アイコンが指示された回数の範囲と、走査線駆動回路１１およびデータ線駆動回路１２の各識別子の組との対応関係が記憶されており、ＣＰＵ２１は、アイコン対応表２４２に上書きした回数が、この対応関係においてどの範囲に属するかを特定し、その範囲に対応する識別子の組をアイコン対応表２４２に上書きする。これにより、操作アイコンが指示される頻度に応じて、その操作アイコンを描画する位置を変更することができるので、表示領域１３の所定の領域に、よく使う操作アイコンを集めて表示させる領域を設けることもできる。また、上述の変形例のように、コントローラ２０に画像表示手段を設けた場合に、この画像表示手段に、よく使う操作アイコンを表示させることもできる。なお、コントローラ２０に表示させる操作アイコンは、使用頻度の低いものとしてもよい。
【００５７】
（１０）上述の態様においては、走査線駆動回路１１およびデータ線駆動回路１２は、操作画像データを描画するときに、自手段に対応する走査線群またはデータ線群のうちの一部のみを駆動させて部分書き換えを行っていたが、部分書き換えは行わなくてもよい。すなわち、操作画像データを描画するときであっても、走査線駆動回路１１やデータ線駆動回路１２は、自手段に接続されている走査線ＳＬやデータ線ＤＬを複数本置きに飛ばすことなく全て駆動させてもよい。
【図面の簡単な説明】
【００５８】
【図１】画像情報処理システムの全体構成を示す図である。
【図２】画像情報処理システムの各部の関係を示したブロック図である。
【図３】アイコンデータベースとアイコン対応表を説明する図である。
【図４】コンテンツデータベースを説明する図である。
【図５】コントローラの外観を示す図である。
【図６】表示媒体とコントローラを接続したときの動作を説明するシーケンス図である。
【図７】指示位置に基づいて指示内容を特定する動作を説明するシーケンス図である。
【図８】表示媒体がコンテンツを表示する際の動作を説明するシーケンス図である。
【図９】表示媒体が操作アイコンを表示する際の動作を説明するシーケンス図である。
【図１０】付加パルスにより全ての操作アイコンが表示される場合を説明する図である。
【図１１】付加パルスにより一部の操作アイコンが表示される場合を説明する図である。
【図１２】部分書き換えを説明するための概略図である。
【図１３】操作アイコンがコンテンツに重畳して描かれる様子を説明する図である。
【図１４】コントローラに操作手段と表示装置を設けた態様を説明する図である。
【符号の説明】
【００５９】
１…画像情報処理システム、１０…表示媒体、１１…走査線駆動回路、１２…データ線駆動回路、１２１…ラインメモリ、１２２…アイコンメモリ、１３…表示領域、１４…インタフェース部、１４１…電力受給端子、１４２…データ端子、１５…位置検知部、２０…コントローラ、２１…ＣＰＵ、２２…パネルコントローラ、２２１…データ端子、２３…ＧＰＵ、２３１…ＶＲＡＭ、２４…記憶部、２４１…アイコンデータベース、２４２…アイコン対応表、２４３…コンテンツデータベース、２５１ａ…上側筐体、２５１ｂ…下側筐体、２５２…蝶番、２６…操作部、２６１…透明タッチパネル、２６２…ボタン、２７…表示部、２７１，２７２，２７３…アイコン、２９…電源部、２９１…電力供給端子、ＤＬ…データ線、ＳＬ…走査線。
【図１】
2010002741.tif 000003
【図２】
2010002741.tif 000004
【図３】
2010002741.tif 000005
【図４】
2010002741.tif 000006
【図５】
2010002741.tif 000007
【図６】
2010002741.tif 000008
【図７】
2010002741.tif 000009
【図８】
2010002741.tif 000010
【図９】
2010002741.tif 000011
【図１０】
2010002741.tif 000012
【図１１】
2010002741.tif 000013
【図１２】
2010002741.tif 000014
【図１３】
2010002741.tif 000015
【図１４】
2010002741.tif 000016